(57)【要約】【課題】把持された２つのクラッチレバーのうち何れか１つのクラッチレバーが解放されるとテンションクラッチを切断することが可能な可搬型摘採機の刈刃停止装置を提案する。【解決手段】２つのクラッチレバー１１、１３とテンションクラッチ６との間に、２つのクラッチレバー１１、１３を連接したクラッチワイヤ１５０に連動してクラッチワイヤ１５０の引き込み方向及び繰り出し方向に往復動する可動部材１５１を介在させる。これにより、２つのクラッチレバー１１、１３によりテンションプーリ６４を動作させることができるので、把持された２つのクラッチレバー１１、１３のうち何れか１つのクラッチレバーが解放されるとテンションクラッチ６を切断することが可能となる。【選択図】図１
2010094032.tif 000002
【特許請求の範囲】
【請求項１】
駆動プーリと従動プーリとの間に巻き回されたベルトにテンションプーリを押圧してエンジンから刈刃への動力伝達を行い、前記ベルトから前記テンションプーリを離脱させて前記エンジンから前記刈刃への動力伝達を遮断するテンションクラッチと、前記テンションクラッチを接断操作する２つのクラッチレバーと、を備えた可搬型摘採機において、
２つのクラッチレバーが把持されると前記テンションプーリが前記ベルトを押圧し、把持された前記２つのクラッチレバーのうち何れか１つのクラッチレバーが解放されると前記テンションプーリが前記ベルトから離脱することを特徴とする可搬型摘採機の刈刃停止装置。
【請求項２】
前記２つのクラッチレバーと前記テンションクラッチとの間に、前記２つのクラッチレバーを連接したクラッチワイヤに連動する可動部材が介在し、前記可動部材は前記２つのクラッチレバーのレバー操作に伴って前記クラッチワイヤの引き込み方向及び繰り出し方向に往復動し、前記テンションプーリを動作させることを特徴とする請求項１に記載の可搬型摘採機の刈刃停止装置。
【発明の詳細な説明】
【技術分野】
【０００１】
この発明は、２人の作業者が茶畝を挟んで歩きながら２人で支持した摘採機により茶畝の片側を摘採する可搬型摘採機の刈刃停止装置に関するものである。
【背景技術】
【０００２】
従来、２人の作業者に把持されたエンジン停止レバー及びクラッチレバーのうちどちらか一方のレバーが解放されることにより刈刃の摘採動作を停止させる可搬型摘採機の刈刃停止装置が知られている。
【０００３】
例えば、特許文献１に記載の可搬型摘採機の刈刃停止装置にあっては、機体の幅方向両端にそれぞれ配された２つの支持ハンドルのうち一方の支持ハンドルに配されたエンジン停止レバーと、他方の支持ハンドルに配されたクラッチレバーとを有している。エンジン停止レバーは、作業者により把持された状態にあっては刈刃駆動用のエンジンの始動を可能とし、解放状態にあってはエンジンを電気的に停止させる。クラッチレバーは、作業者により把持された状態にあってはエンジンから刈刃へ動力を伝達自在とするテンションクラッチを接続し、解放状態にあってはテンションクラッチを切る。これにより、エンジン停止レバーまたはクラッチレバーのうちいずれか１つのレバーが解放されると刈刃の摘採動作が直ちに停止するというものである。
【０００４】
【特許文献１】特開２００２−１０７０８号公報（段落００１４、００１５、図１、図２参照）
【発明の開示】
【発明が解決しようとする課題】
【０００５】
上記のように２つのレバーのうち１つが、解放状態にあってはエンジンを停止させるエンジン停止レバーである場合には、そのエンジン停止レバーを握った作業者がレバーを解放するたびにエンジンが止まってしまうので、摘採作業を再開する毎にエンジンを再始動しなければならず、手間が余計にかかってしまう。
【０００６】
そこで、このような問題を解決するために、２つのレバーを両方ともクラッチレバーとすることが考えられる。
しかしながら、従来の刈刃停止装置にあっては、クラッチレバーの把持操作に応じたテンションプーリが、駆動プーリと従動プーリとの間に巻き回されたベルトを押圧してテンションクラッチを接続し、クラッチレバーの解放操作に応じたテンションプーリが、ベルトから離脱することによりテンションクラッチを切断するように構成されている。
このため、２つのレバーを両方ともクラッチレバーとする場合、従来の構造をそのまま適用すると、どちらか１つのクラッチレバーが把持されていればテンションプーリがベルトを押圧し続けるので、２つのクラッチレバーを共に解放しないとテンションクラッチを切断することができない。
【０００７】
本発明は上記背景により、把持された２つのクラッチレバーのうち何れか１つのクラッチレバーが解放されるとテンションクラッチを切断することが可能な可搬型摘採機の刈刃停止装置を提案するものである。
【課題を解決するための手段】
【０００８】
請求項１に記載の可搬型摘採機の刈刃停止装置は、駆動プーリと従動プーリとの間に巻き回されたベルトにテンションプーリを押圧してエンジンから刈刃への動力伝達を行い、前記ベルトから前記テンションプーリを離脱させて前記エンジンから前記刈刃への動力伝達を遮断するテンションクラッチと、前記テンションクラッチを接断操作する２つのクラッチレバーと、を備えた可搬型摘採機において、
前記２つのクラッチレバーが把持されると前記テンションプーリが前記ベルトを押圧し、把持された前記２つのクラッチレバーのうち何れか１つのクラッチレバーが解放されると前記テンションプーリが前記ベルトから離脱することを構成要件とする。
【０００９】
可搬型摘採機は、２人の作業者が茶畝を挟んで歩きながら茶園管理作業を行う可搬型の茶摘機、刈ナラシ機、浅番刈機、剪枝機等や、一般的な刈取作業を行う植木、花卉等の刈取機のことを指し、刈刃は、上下動刃（バリカン刃）が用いられる場合と、回転刃（ロータリ刃）が用いられる場合とがある。また、テンションクラッチを接断操作する２つのクラッチレバーは、機体の幅方向両端にそれぞれ配される支持ハンドルに装着される。クラッチレバーを把持するとは、支持ハンドルとクラッチレバーとを手で握る状態のことや、支持ハンドルに手をかけながら指でクラッチレバーを引く状態のことを指す。
【００１０】
２つのクラッチレバーが把持されるとテンションプーリがベルトを押圧し、エンジンから刈刃への動力伝達が行われ、刈刃は摘採動作する。また、把持された２つのクラッチレバーのうち何れか１つのクラッチレバーが解放されるとテンションプーリがベルトから離脱し、エンジンから刈刃への動力伝達が遮断され、刈刃は停止する。これにより、把持された２つのクラッチレバーうち何れか１つのクラッチレバーが解放されると、エンジンを止めることなく、刈刃の摘採動作を停止させることが可能となる。
【００１１】
２つのクラッチレバーによりテンションプーリを動作させることは、具体的には２つのクラッチレバーとテンションクラッチとの間に、２つのクラッチレバーを連接したクラッチワイヤに連動する可動部材を介在させることにより可能となる。可動部材は、２つのクラッチレバーのレバー操作に伴ってクラッチワイヤの引き込み方向及び繰り出し方向に往復動することによりテンションプーリを動作させる（請求項２）。
【００１２】
クラッチワイヤは、２つのクラッチレバーに両端部が接続され、可動部材に中央部が巻き回される。可動部材は、可搬型摘採機のフレームに往復動自在に設けられる場合と、フレームに取り付けられた取付部材に往復動自在に設けられる場合とがある。この可動部材の往復動する方向は、巻き回されたクラッチワイヤの引き込み方向及び繰り出し方向とされる。また、可動部材には、クラッチワイヤが弛みなく巻き付けられる場合と、弛みを持たせて巻き付けられる場合とがある。
【００１３】
可動部材にクラッチワイヤが弛みなく巻き付けられる場合は、可動部材は、２つのクラッチレバーが共に解放された状態では動かず、テンションプーリがベルトから離脱したままであり、２つのクラッチレバーのうち何れか１つのクラッチレバーが把持されるとクラッチワイヤの引き込み方向に移動するものの、テンションプーリがベルトから離脱したままであり、２つのクラッチレバーが把持されるとさらにクラッチワイヤの引き込み方向に移動して、テンションプーリがベルトを押圧する。これは、２つのクラッチレバーが解放状態にある場合（刈刃停止状態）を基点としてクラッチワイヤの引き込み方向に対する可動部材の移動量（ストローク）が、２つのクラッチレバーが２つとも把持された状態と、把持された２つのクラッチレバーのうち何れか１つのクラッチレバーが解放された状態（言い換えれば、２つのうち１つのクラッチレバーだけ把持されている状態）とでは異なる（１つのクラッチレバーが把持された場合よりも２つのクラッチレバーが把持された場合の方が移動量が大）ので、この移動量の差を利用してテンションプーリが動作（押圧、離脱）する。
すなわち、２つのレバーが把持された際の可動部材の移動により、テンションプーリがベルトに押圧し、把持された２つのクラッチレバーのうち何れか１つのクラッチレバーが解放された際の可動部材の移動により、テンションプーリがベルトから離脱する。
【００１４】
可動部材にクラッチワイヤが弛みを持たせて巻き付けられる場合、可動部材は、２つのクラッチレバーが共に解放された状態では動かず、テンションプーリがベルトから離脱したままであり、２つのクラッチレバーのうち何れか１つのクラッチレバーが把持されるとクラッチワイヤの弛みはなくなるが、クラッチワイヤの引き込み方向に移動せず、テンションプーリがベルトから離脱したままであり、２つのクラッチレバーが把持されるとクラッチワイヤの引き込み方向に移動して、テンションプーリがベルトを押圧する。
すなわち、可動部材にクラッチワイヤが弛みを持たせて巻き付けられる場合であっても、２つのレバーが把持された際の可動部材の移動により、テンションプーリがベルトに押圧し、把持された２つのクラッチレバーのうち何れか１つのクラッチレバーが解放された際の可動部材の移動により、テンションプーリがベルトから離脱する。
【００１５】
可動部材及び可動部材の移動方向も基本的に水平に向けられるが、配置レイアウト上、可動部材の移動方向を水平に対して傾斜させることもある。
【発明の効果】
【００１６】
２つのクラッチレバーとテンションクラッチとの間に、２つのクラッチレバーを連接したクラッチワイヤに連動する可動部材を介在させることで、２つのクラッチレバーによりテンションプーリを動作させることができる。この結果、把持された２つのクラッチレバーのうち何れか１つクラッチレバーが解放されるとテンションクラッチを切断することができる。
【発明を実施するための最良の形態】
【００１７】
以下、図面を用いて本発明を実施するための最良の形態を説明する。
【００１８】
図１（ａ）、（ｂ）は、駆動プーリ６０と従動プーリ６１との間に巻き回されたベルト６２にテンションプーリ６４を押圧してエンジン３からバリカン刃（刈刃）５への動力伝達を行い、ベルト６２からテンションプーリ６４を離脱させることによりエンジン３からバリカン刃５への動力伝達を遮断するテンションクラッチ６と、テンションクラッチ６を接断操作する２つのクラッチレバー１１、１３と、を備えた可搬型摘採機１において、
２つのクラッチレバー１１、１３が把持されるとテンションプーリ６４がベルト６２を押圧し、把持された２つのクラッチレバー１１、１３のうち何れか１つのクラッチレバーが解放されるとテンションプーリ６４がベルト６２から離脱する刈刃停止装置１５の概要を示す平面図及び側面図である。
【００１９】
初めに可搬型摘採機１全体の説明をする。図２、図３に示すように、可搬型摘採機１のフレーム２の上面には、リコイルスタータ付きのエンジン３及びファンケース４が上下に連なった状態で機体片側に寄せて配置され、フレーム２の下面には、バリカン刃（刈刃）５が機体幅方向に向かって往復動自在に配置されている。また、ファンケース４の下部とバリカン刃５との間には、エンジン動力をバリカン刃５に伝達自在とするテンションクラッチ６と、回転動力を往復動力に変換するクランク機構を内部に有するクランクケース７とが上下に連なった状態で配置される。
【００２０】
エンジン動力がファンケース４内の回転軸に伝達されると、その軸回りの回転ファンの回転により風が発生し、その風は、ファンケース４に接続された送風管８から機体幅方向に向かって運ばれたのち、バリカン刃５の前面に向かった複数のダクト８０から噴出される。また、ファンケース４内の回転軸には、テンションクラッチ６の駆動プーリ６０が接続される。
【００２１】
テンションクラッチ６は、エンジン３に連なった駆動プーリ６０と、バリカン刃５に連なった従動プーリ６１との間に巻き回されたベルト６２に、回動自在なテンションアーム６３の一端部に一体的に設けられたテンションプーリ６４が押圧してエンジン３からバリカン刃５への動力伝達を行い、ベルト６２からテンションプーリ６４が離脱することによりエンジン３からバリカン刃５への動力伝達を遮断する。テンションプーリ６４は、ベルト６２の張力によりベルト６２から離脱方向に常に付勢されており、テンションプーリ６４と一体とみなされるテンションアーム６３の他端部に一端部が接続されたテンションワイヤ６５のワイヤ操作（繰り出し、引き込み）によりテンションプーリ６４の押圧、離脱動作が行われる。また、テンションワイヤ６５とテンションアーム６３（テンションプーリ６４）との間には、テンションプーリ６４の過度の押圧力を逃がした上で、ベルト６２の摩耗に対応して一定の押圧力を維持するバネ６６が介設される。
【００２２】
このテンションクラッチ６の従動プーリ６１から出力されたエンジン動力は、クランクケース７内のクランク機構により往復動力に変換され、バリカン刃５を往復動させる。
【００２３】
フレーム２の幅方向両端部には支持ハンドル９、１０がそれぞれ配置される。一方の支持ハンドル９にはクラッチレバー１１と、エンジン３のスイッチオンオフ用の電源スイッチ１２とが取り付けられ、他方の支持ハンドル１０にはクラッチレバー１３及びスロットルレバー１４が取り付けられる。２つのクラッチレバー１１、１３が解放された状態で、電源スイッチ１２がオンされ、スタータが引かれるとエンジン３が始動する。エンジン始動時に２つのクラッチレバー１１、１３のうち少なくとも１つが把持されていると、後述するクラッチワイヤ１５０の引き込みまたは可動部材１５１の移動によりエンジン３への通電を遮断してエンジン始動を阻止する阻止部が配される場合がある。エンジン始動後、２つのクラッチレバー１１、１３が把持されるとテンションクラッチ６が接続してバリカン刃５が往復動する。また、電源スイッチ１２がオフされるとエンジン３が停止し、バリカン刃５の往復動も止まる。なお、電源スイッチ１２が配置される場所は任意である。
【００２４】
ここで、本発明の刈刃停止装置１５の構成例を説明する。刈刃停止装置１５は、２つのクラッチレバー１１、１３を連接したクラッチワイヤ１５０と、フレーム３の上面に取り付けられた取付部材１５２と、取付部材１５２にスライド移動自在に支持され、２つのクラッチレバー１１、１３のレバー操作に伴ってクラッチワイヤ１５０の引き込み方向及び繰り出し方向に往復動し、テンションプーリ６４を動作（押圧、離脱）させる可動部材１５１とを備える。
【００２５】
取付部材１５２の４隅にはボルト孔１５２ａが穿設され、このボルト孔１５２ａを挿通しフレーム２のボルト孔に螺合する固定用ボルト１６によって取付部材１５２はフレーム２の上面中央部に固定される。この取付部材１５２の取付位置は任意である。すなわち、取付部材１５２は、テンションワイヤ６５及びクラッチワイヤ１５０の引き回し可能な位置であれば、エンジン側に寄せて配置してもよいし、反エンジン側に寄せて配置してもよい。
また、この取付部材１５２の中央部には、可動部材１５１に巻き回されたクラッチワイヤ１５０の引き込み方向及び繰り出し方向（この場合、フレーム２の長手方向と同一方向）に可動部材１５１を往復動自在に支持するガイド孔１５２ｂが穿設される。
【００２６】
取付部材１５２の一端部に形成された上向きの支持部１５２ｃには、クラッチワイヤ１５０の中間部１５０ａ付近の２箇所が支持されることにより、クラッチワイヤ１５０の中間部１５０ａは、フレーム２の長手方向に向かって平面視Ｕ字状に曲げられ、そのＵ字状の部分が可動部材１５１の平面視Ｕ字状の外面を有する胴部１５１ａに弛むことなく巻き回される。
【００２７】
取付部材１５２の他端部に形成された上向きの支持部１５２ｄには、テンションワイヤ６５の他端部付近が支持される。また、このテンションワイヤ６５の他端部は、クラッチワイヤ１５０の引き込み方向に向かって繰り出されるように可動部材１５１に接続された状態でボルト固定される。すなわち、可動部材１５１にテンションワイヤ６５の他端部が接続される際、接続されたテンションワイヤ６５の繰り出し方向を、可動部材１５１に巻き回されたクラッチワイヤ１５０の引き込み方向に一致させることにより、２つのクラッチレバー１１、１３によるレバー操作に応じてテンションワイヤ６５が繰り出される。
【００２８】
また、取付部材１５２との支持部１５２ｄとテンションワイヤ６５の接続用ボルト１５４との間には、バネ（付勢手段）１５３が介装され、可動部材１５１は常にテンションワイヤ６５の引き込み方向（クラッチワイヤ１５０の繰り出し方向）に付勢される。
【００２９】
可動部材１５１は、胴部１５１ａにクラッチワイヤ１５０の中間部１５０ａが弛むことなく巻き回され、その巻き回されたクラッチワイヤ１５０の引き込み方向及び繰り出し方向に往復動可能とされる。また、この可動部材１５１の他端部には、テンションワイヤ６５の他端部が接続されており、２つのクラッチレバー１１、１３の把持状態に応じて往復動する可動部材１５１により、テンションプーリ６４が動作（押圧、離脱）する。なお、可動部材１５１の形状、移動量、移動方向は任意である。
【００３０】
可動部材１５１は、２つのクラッチレバー１１、１３が共に把持されると、クラッチワイヤ１５０の引き込み方向にスライド移動する。このスライド移動により可動部材１５１に接続されたテンションワイヤ６５が繰り出されて、テンションアーム６３が回動し、テンションプーリ６４がベルト６２を押圧し、テンショクラッチ６が接続されてバリカン刃５が往復動する。
また、可動部材１５１は、把持状態にある２つのクラッチレバー１１、１３のうち少なくとも１つ、つまり、把持状態にある２つのクラッチレバー１１、１３のうち何れか１つまたは２つのクラッチレバーが解放されると、バネ１５３の付勢力によりクラッチワイヤ１５０の繰り出し方向にスライド移動する。このスライド移動により可動部材１５１に接続されたテンションワイヤ６５は引き込まれ、テンションアーム６３が回動し、テンションプーリ６４がベルト６２から離脱して、テンションクラッチ６を切りバリカン刃５の往復動が停止する。
【００３１】
これにより、把持状態にある２つのクラッチレバー１１、１３のうち何れか１つのクラッチレバーが解放されると、テンションクラッチ６が切られるので、エンジン３を止めることなく、バリカン刃５の摘採動作を緊急に停止させることが可能となる。また、そのことにより、エンジン３にエンジン停止用の電源スイッチが既に配されている場合には、電源スイッチ１２から電源オフ用の機能を省くことができる。
【図面の簡単な説明】
【００３２】
【図１】（ａ）は刈刃停止装置の概要を示した平面図、（ｂ）は（ａ）の側面図である。
【図２】刈刃停止装置をフレーム上面に備えた可搬型摘採機の構成例を示した平面図である。
【図３】図２の正面図である。
【符号の説明】
【００３３】
１…可搬型摘採機
２…フレーム、３…エンジン、４…ファンケース、５…バリカン刃（刈刃）
６…テンションクラッチ、６０…駆動プーリ、６１…従動プーリ、６２…ベルト、６３…テンションアーム、６４…テンションプーリ、６５…テンションワイヤ、６６…バネ
７…クランクケース、８…送風管、８０…ダクト、９…支持ハンドル、１０…支持ハンドル、
１１…クラッチレバー、１２…電源スイッチ
１３…クラッチレバー、１４…スロットルレバー
１５…刈刃停止装置、１５０…クラッチワイヤ、１５０ａ…中間部、１５１…可動部材、１５１ａ…胴部、１５２…取付部材、１５２ａ…ボルト孔、１５２ｂ…ガイド孔、１５２ｃ…支持部、１５２ｄ…支持部、１５３…バネ（付勢手段）、１５４…接続用ボルト
１６…固定用ボルト
【図１】
2010094032.tif 000003
【図２】
2010094032.tif 000004
【図３】
2010094032.tif 000005